(57)【要約】      （修正有）【課題】太陽電池モジュールのコネクタを十分に固定することができる太陽電池モジュール用梱包体および梱包体付き太陽電池モジュールを提供する。【解決手段】受光面側保護部１０は、太陽電池モジュール２００の受光面２７０の一部を覆う。裏面２７２は、受光面２７０に対向して設けられ、かつ太陽電池モジュール２００の裏面２７２の一部を覆う。側面側保護部１４は、裏面側保護部１２と受光面側保護部１０との間に設けられ、かつ太陽電池モジュール２００の１つの長側面２７４を覆う。コネクタ保護部２４は、裏面側保護部１２に接続され、かつ太陽電池モジュール２００の裏面２７２に設置された端子ボックス２１６から延びる第１、第２ケーブル２１８ａ、２１８ｂの先端に設けられた第１、第２コネクタ２２０ａ、２２０ｂを保護する。【選択図】図１
0003208072.tif 000002
【実用新案登録請求の範囲】
【請求項１】
互いに反対を向いた受光面と裏面とを側面で囲んだ太陽電池モジュールの１つの側面を含んで被覆する太陽電池モジュール用梱包体であって、
前記太陽電池モジュールの受光面の一部を覆う受光面側保護部と、
前記受光面側保護部に対向して設けられ、かつ前記太陽電池モジュールの裏面の一部を覆う裏面側保護部と、
前記裏面側保護部と前記受光面側保護部との間に設けられ、かつ前記太陽電池モジュールの１つの側面を覆う側面側保護部と、
前記裏面側保護部に接続され、かつ前記太陽電池モジュールの裏面に設置された端子ボックスから延びるケーブルの先端に設けられたコネクタを保護するコネクタ保護部とを備え、
前記コネクタ保護部は、
前記ケーブルを保持可能な第１穴部を有する第１壁部と、
前記第１壁部に対向して設けられ、かつ前記コネクタを保持可能な第２穴部を有する第２壁部とを備えることを特徴とする太陽電池モジュール用梱包体。
【請求項２】
前記第２穴部は前記第１穴部よりも小さいことを特徴とする請求項１に記載の太陽電池モジュール用梱包体。
【請求項３】
前記第１壁部および前記第２壁部は、前記裏面側保護部の長手方向において対向して配置されることを特徴とする請求項１または２に記載の太陽電池モジュール用梱包体。
【請求項４】
前記第１壁部および前記第２壁部は、前記裏面側保護部の長手方向とは異なった方向において対向して配置されることを特徴とする請求項１または２に記載の太陽電池モジュール用梱包体。
【請求項５】
前記第１壁部は、前記第１穴部が前記ケーブルを保持し、かつ前記第２穴部が前記コネクタを保持する場合に、前記第１壁部と前記第２壁部との間において、前記ケーブルおよび前記コネクタの少なくとも一方に接触可能なベロ部をさらに備えることを特徴とする請求項１から４のいずれか１項に記載の太陽電池モジュール用梱包体。
【請求項６】
前記コネクタ保護部は、前記ケーブルおよび前記コネクタの少なくとも一方を取付可能な取付部を備えることを特徴とする請求項１から４のいずれか１項に記載の太陽電池モジュール用梱包体。
【請求項７】
互いに反対を向いた受光面と裏面とを側面で囲んだ太陽電池モジュールと、
前記太陽電池モジュールの１つの側面を含んで被覆する太陽電池モジュール用梱包体とを備え、
前記太陽電池モジュール用梱包体は、
前記太陽電池モジュールの受光面の一部を覆う受光面側保護部と、
前記受光面側保護部に対向して設けられ、かつ前記太陽電池モジュールの裏面の一部を覆う裏面側保護部と、
前記裏面側保護部と前記受光面側保護部との間に設けられ、かつ前記太陽電池モジュールの１つの側面を覆う側面側保護部と、
前記裏面側保護部に接続され、かつ前記太陽電池モジュールの裏面に設置された端子ボックスから延びるケーブルの先端に設けられたコネクタを保護するコネクタ保護部とを備え、
前記コネクタ保護部は、
前記ケーブルを保持可能な第１穴部を有する第１壁部と、
前記第１壁部に対向して設けられ、かつ前記コネクタを保持可能な第２穴部を有する第２壁部とを備えることを特徴とする梱包体付き太陽電池モジュール。
【考案の詳細な説明】
【技術分野】
【０００１】
本考案は、梱包技術、特に太陽電池モジュールを梱包する太陽電池モジュール用梱包体および梱包体付き太陽電池モジュールに関する。
【背景技術】
【０００２】
太陽電池モジュールは、保管・運搬中の破損を防止するために、梱包される。例えば、梱包材には段ボールが使用され、太陽電池モジュールの側面と裏面とが覆われる。その際、太陽電池モジュールのケーブル・コネクタのばたつきによって、太陽電池モジュール裏面のバックフィルムが損傷することも防止しなくてはならない。そのために、切込み付きの穴が梱包材に設けられ、当該穴にコネクタが差し込まれる（例えば、特許文献１参照）。
【先行技術文献】
【特許文献】
【０００３】
【特許文献１】特開２０１４−９８５号公報
【考案の概要】
【考案が解決しようとする課題】
【０００４】
太陽電池モジュールを覆う梱包材に設けた穴にコネクタを差し込むことによって、保管・運搬中の破損が防止される。しかしながら、ケーブル・コネクタの固定不足、梱包作業の精度不足によって、穴に差し込んだコネクタが太陽電池モジュールを損傷させてしまうおそれがある。
【０００５】
本考案はこうした状況に鑑みなされたものであり、その目的は、太陽電池モジュールのコネクタを十分に固定する技術を提供することにある。
【課題を解決するための手段】
【０００６】
上記課題を解決するために、本考案のある態様の太陽電池モジュール用梱包体は、互いに反対を向いた受光面と裏面とを側面で囲んだ太陽電池モジュールの１つの側面を含んで被覆する太陽電池モジュール用梱包体であって、太陽電池モジュールの受光面の一部を覆う受光面側保護部と、受光面側保護部に対向して設けられ、かつ太陽電池モジュールの裏面の一部を覆う裏面側保護部と、裏面側保護部と受光面側保護部との間に設けられ、かつ太陽電池モジュールの１つの側面を覆う側面側保護部と、裏面側保護部に接続され、かつ太陽電池モジュールの裏面に設置された端子ボックスから延びるケーブルの先端に設けられたコネクタを保護するコネクタ保護部とを備える。コネクタ保護部は、ケーブルを保持可能な第１穴部を有する第１壁部と、第１壁部に対向して設けられ、かつコネクタを保持可能な第２穴部を有する第２壁部とを備える。
【０００７】
本考案の別の態様は、梱包体付き太陽電池モジュールである。この梱包体付き太陽電池モジュールは、互いに反対を向いた受光面と裏面とを側面で囲んだ太陽電池モジュールと、太陽電池モジュールの１つの側面を含んで被覆する太陽電池モジュール用梱包体とを備える。太陽電池モジュール用梱包体は、太陽電池モジュールの受光面の一部を覆う受光面側保護部と、受光面側保護部に対向して設けられ、かつ太陽電池モジュールの裏面の一部を覆う裏面側保護部と、裏面側保護部と受光面側保護部との間に設けられ、かつ太陽電池モジュールの１つの側面を覆う側面側保護部と、裏面側保護部に接続され、かつ太陽電池モジュールの裏面に設置された端子ボックスから延びるケーブルの先端に設けられたコネクタを保護するコネクタ保護部とを備え、コネクタ保護部は、ケーブルを保持可能な第１穴部を有する第１壁部と、第１壁部に対向して設けられ、かつコネクタを保持可能な第２穴部を有する第２壁部とを備える。
【考案の効果】
【０００８】
本考案によれば、太陽電池モジュールのコネクタを十分に固定できる。
【図面の簡単な説明】
【０００９】
【図１】実施例に係る梱包体付き太陽電池モジュールの構造を示す分解斜視図である。
【図２】図２（ａ）−（ｃ）は、図１の太陽電池モジュール用梱包体の構造を示す展開図である。
【図３】図３（ａ）−（ｃ）は、図１の梱包体付き太陽電池モジュールの構造を示す斜視図である。
【図４】図４（ａ）−（ｃ）は、図２（ａ）の太陽電池モジュール用梱包体の取付手順を示す図である。
【図５】図３（ａ）−（ｃ）の梱包体付き太陽電池モジュールの断面図である。
【図６】図６（ａ）−（ｄ）は、図２（ｂ）の太陽電池モジュール用梱包体の取付手順を示す図である。
【図７】図７（ａ）−（ｂ）は、図２（ｃ）の太陽電池モジュール用梱包体の取付手順を示す図である。
【考案を実施するための形態】
【００１０】
本考案を具体的に説明する前に、概要を述べる。本実施例は、太陽電池モジュールの破損を防止するために、太陽電池モジュールの一部を覆う太陽電池モジュール用梱包体に関する。太陽電池モジュールは、矩形状を有しており、互いに対向した２つの長側面と、互いに対向した２つの短側面とによって囲まれている。また、太陽電池モジュールの裏面には、端子ボックスが設置されており、端子ボックスに接続されたケーブルの先端にコネクタが設けられている。太陽電池モジュールにおける２つの長側面のそれぞれに対して、太陽電池モジュール用梱包体が取りつけられる。太陽電池モジュール用梱包体は、例えば、段ボールにより形成されており、それには、太陽電池モジュールの裏面の一部を覆う裏面側保護部が含まれる。裏面側保護部と一体的にコネクタ保護部が形成されており、コネクタ保護部に設けられた穴部にコネクタが差し込まれることによって、コネクタが固定される。
【００１１】
穴部にコネクタが差し込まれるだけでは、ケーブル・コネクタの固定が十分でなく、コネクタが穴から外れたり、コネクタ保護部内でコネクタが動いたりすることによって、コネクタが太陽電池モジュールを破損させてしまうおそれがある。また、梱包作業の際に、穴部へのコネクタの差込が十分でなく、コネクタが外れてしまった場合も、コネクタが太陽電池モジュールを破損させてしまうおそれがある。そのため、太陽電池モジュールのコネクタを十分に固定することが要求される。本実施例に係る太陽電池モジュール用梱包体のコネクタ保護部には、互いに対向した第１壁部と第２壁部が設けられるとともに、第１壁部に第１穴部が設けられ、第２壁部に第２穴部が設けられる。また、第１穴部がケーブルを保持し、第２穴部がコネクタを保持するように、２箇所でケーブル・コネクタを保持する。なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１２】
図１は、実施例に係る梱包体付き太陽電池モジュール３００の構造を示す分解斜視図である。梱包体付き太陽電池モジュール３００は、太陽電池モジュール用梱包体１００と総称される第１太陽電池モジュール用梱包体１００ａ、第２太陽電池モジュール用梱包体１００ｂ、太陽電池モジュール２００を含む。太陽電池モジュール用梱包体１００は、受光面側保護部１０、裏面側保護部１２、側面側保護部１４、壁面側保護部１６と総称される第１壁面側保護部１６ａ、第２壁面側保護部１６ｂ、折返し面１８と総称される第１折返し面１８ａ、第２折返し面１８ｂ、差込片２０と総称される第１差込片２０ａ、第２差込片２０ｂ、差込穴２２と総称される第１差込穴２２ａ、第２差込穴２２ｂ、コネクタ保護部２４を含む。コネクタ保護部２４は、第１壁部２６、第２壁部２８、底部３０、先端部３２、第１穴部４０、第２穴部４２を含む。また、太陽電池モジュール２００は、太陽電池パネル２１０、長フレーム２１２、短フレーム２１４、端子ボックス２１６、ケーブル２１８と総称される第１ケーブル２１８ａ、第２ケーブル２１８ｂ、コネクタ２２０と総称される第１コネクタ２２０ａ、第２コネクタ２２０ｂ、接続部２２４と総称される第１接続部２２４ａ、第２接続部２２４ｂを含む。
【００１３】
図１に示すように、ｘ軸、ｙ軸、ｚ軸からなる直交座標系が規定される。ｘ軸、ｙ軸は、太陽電池モジュール２００の平面内において互いに直交する。ｚ軸は、ｘ軸およびｙ軸に垂直であり、太陽電池モジュール２００の厚み方向に延びる。また、ｘ軸、ｙ軸、ｚ軸のそれぞれの正の方向は、図１における矢印の方向に規定され、負の方向は、矢印と逆向きの方向に規定される。太陽電池モジュール２００を形成する２つの主表面であって、かつｘ−ｙ平面に平行な２つの主表面のうち、ｚ軸の正方向側に配置される主平面が受光面２７０であり、ｚ軸の負方向側に配置される主平面が裏面２７２である。以下では、ｚ軸の正方向側を「受光面側」とよび、ｚ軸の負方向側を「裏面側」とよぶ。さらに、受光面２７０、裏面２７２を囲むように、ｘ軸に沿った長側面２７４、ｙ軸に沿った短側面２７６が配置されている。
【００１４】
太陽電池パネル２１０は、ｚ軸方向に互いに反対を向いた受光面２７０と裏面２７２を含みながら、ｙ軸方向よりもｘ軸方向に長い矩形状を有する。太陽電池パネル２１０の受光面２７０側には透光性基板が配置され、裏面２７２側には裏面保護部材であるバックシートが配置される。また、透光性基板とバックシートとの間には、封止部材が配置されており、封止部材によって複数の太陽電池セルが封止されている。例えば、透光性基板には、ガラス基板、透光性プラスチック等が使用され、バックシートには、ＰＥＴ（ポリエチレンテレフタラート）等の樹脂フィルム、Ａｌ箔を樹脂フィルムで挟んだ構造を有する積層フィルムが使用される。また、封止部材には、ポリオレフィン、ＥＶＡ（エチレンビニルアセテート）、ＰＶＢ（ポリビニルブチラール）、ポリイミド等の樹脂フィルムのような熱可塑性樹脂が使用される。太陽電池パネル２１０のｙ軸方向の両端には、ｘ軸方向に延びる長フレーム２１２が配置され、太陽電池パネル２１０のｘ軸方向の両端には、ｙ軸方向に延びる短フレーム２１４が配置される。
【００１５】
隣接した長フレーム２１２と短フレーム２１４は互いに連結されることによって、２つの長フレーム２１２と２つの短フレーム２１４は、太陽電池パネル２１０を囲むような枠形状に配置される。長フレーム２１２と短フレーム２１４は、押出成形によって形成されるので、延びる方向を横切る方向において同一形状の断面を有する。また、長フレーム２１２と短フレーム２１４は、太陽電池パネル２１０を保護するために、例えば、アルミニウム、あるいはアルミニウム合金で形成される。
【００１６】
なお、太陽電池パネル２１０に長フレーム２１２、短フレーム２１４、後述の端子ボックス２１６、ケーブル２１８、コネクタ２２０、接続部２２４を取りつけたものが、太陽電池モジュール２００である。前述のごとく、太陽電池モジュール２００は、長側面２７４、短側面２７６で囲まれている。そのため、長側面２７４は長フレーム２１２に一致し、短側面２７６は短フレーム２１４に一致する。
【００１７】
太陽電池パネル２１０の裏面２７２には、端子ボックス２１６が取りつけられる。また、２本のケーブル２１８のそれぞれの一端側は端子ボックス２１６に接続され、２本のケーブル２１８のそれぞれの他端側には接続部２２４を介してコネクタ２２０が接続される。接続部２２４は、ケーブル２１８とコネクタ２２０とを接続しており、接続部２２４の径は、ケーブル２１８の径およびコネクタ２２０の径よりも太くされる。端子ボックス２１６、ケーブル２１８、接続部２２４、コネクタ２２０は、太陽電池パネル２１０に電気的に接続され、太陽電池パネル２１０から電力を取り出す。ここで、コネクタ２２０および接続部２２４の外周は、例えば、熱可塑性プラスチック等によって覆われている。
【００１８】
第１太陽電池モジュール用梱包体１００ａは、ｙ軸の正方向側から太陽電池モジュール２００の長フレーム２１２、つまり長側面２７４の近傍を被覆する。近傍とは、長フレーム２１２だけでなく、太陽電池パネル２１０の一部も含まれるという意味である。第１太陽電池モジュール用梱包体１００ａは、例えば、段ボールを材料として形成される。また、第２太陽電池モジュール用梱包体１００ｂは、ｙ軸の負方向側から太陽電池モジュール２００の長フレーム２１２、つまり長側面２７４の近傍を被覆する。このように太陽電池モジュール２００は、ｙ軸の両方向側から太陽電池モジュール用梱包体１００によって被覆される。ここで、第１太陽電池モジュール用梱包体１００ａと第２太陽電池モジュール用梱包体１００ｂは、向きが異なるだけで、同一の構造を有する。以下では、第２太陽電池モジュール用梱包体１００ｂをもとに太陽電池モジュール用梱包体１００の構造を説明する。
【００１９】
受光面側保護部１０は、ｘ−ｙ平面上に配置されるとともに、ｙ軸方向よりもｘ軸方向に長い矩形状を有する。受光面側保護部１０のｘ軸方向の長さは、長フレーム２１２を被覆することが可能な長さである。一方、受光面側保護部１０のｙ軸方向の長さは、長フレーム２１２のｙ軸方向の長さよりも長い。受光面側保護部１０は、太陽電池モジュール２００の受光面２７０の一部を覆う。一部とは、前述の近傍と同義である。
【００２０】
裏面側保護部１２は、ｘ−ｙ平面上に配置されるとともに、受光面側保護部１０よりもｚ軸の負方向側において、受光面側保護部１０に対向して設けられる。裏面側保護部１２のｘ軸方向の長さは、受光面側保護部１０のｘ軸方向の長さと同一である。裏面側保護部１２は、太陽電池モジュール２００の裏面２７２の一部を覆う。
【００２１】
側面側保護部１４は、ｚ−ｘ平面上に配置されるとともに、裏面側保護部１２と受光面側保護部１０との間に設けられる。また、側面側保護部１４は、ｚ軸方向よりもｘ軸方向に長い矩形状を有し、側面側保護部１４のｘ軸方向の長さは、受光面側保護部１０のｘ軸方向の長さと同一である。側面側保護部１４のｚ軸方向の長さは、長フレーム２１２を被覆することが可能な長さである。側面側保護部１４は、太陽電池モジュール２００の長側面２７４、つまり長フレーム２１２を覆う。
【００２２】
ここで、受光面側保護部１０のｘ軸の正方向側端からｚ軸の負方向に向かって第２壁面側保護部１６ｂが配置され、第２壁面側保護部１６ｂのｚ軸の負方向側端からｘ軸の負方向に向かって第２折返し面１８ｂが配置される。さらに、第２折返し面１８ｂのｘ軸の負方向側端からｘ軸の負方向に向かって第２差込片２０ｂが配置される。ここで、受光面側保護部１０、第２壁面側保護部１６ｂ、第２折返し面１８ｂ、第２差込片２０ｂは、一体的に形成されている。さらに、第２差込片２０ｂは、裏面側保護部１２に設けられた第２差込穴２２ｂに差し込まれることによって、裏面側保護部１２に固定される。これにより、第２壁面側保護部１６ｂは、太陽電池モジュール２００の短側面２７６、つまり短フレーム２１４の一部を覆う。このような構造は、第１壁面側保護部１６ａ、第１折返し面１８ａ、第１差込片２０ａ、第１差込穴２２ａについても同様である。
【００２３】
コネクタ保護部２４は、裏面側保護部１２のｙ軸の正方向側において、裏面側保護部１２と一体的に形成される。コネクタ保護部２４のｘ軸方向の長さは、裏面側保護部１２のｘ軸方向の長さよりも短い。コネクタ保護部２４のうちの第２壁部２８は裏面側保護部１２に接続される。また、第２壁部２８、底部３０、第１壁部２６、先端部３２がｘ軸方向に並んで配置される。実際に使用される際の第２壁部２８、底部３０、第１壁部２６、先端部３２の形状については後述する。第１壁部２６には複数の第１穴部４０が設けられ、第２壁部２８には複数の第２穴部４２が設けられる。第１穴部４０の数と第２穴部４２の数は、ケーブル２１８の数に合わされるので、ここではいずれも「２」である。第１穴部４０および第２穴部４２は、太陽電池モジュール２００の裏面２７２に設置された端子ボックス２１６から延びるケーブル２１８の先端に設けられたコネクタ２２０を保護する。
【００２４】
図２（ａ）−（ｃ）は、梱包体付き太陽電池モジュール３００の構造を示す展開図である。図２（ａ）は、図１に示した太陽電池モジュール用梱包体１００を組み立てる前の構造であり、太陽電池モジュール用梱包体１００は展開状態においてシート状に形成される。ここでは、図１の第２太陽電池モジュール用梱包体１００ｂの裏面側保護部１２に合わせるように、直交座標系を示す。図示のごとく、受光面側保護部１０、側面側保護部１４、裏面側保護部１２がｙ軸方向に並べられるが、それらは折目５０、折目５２を介して連接される。
【００２５】
また、第１差込片２０ａ、第１折返し面１８ａ、第１壁面側保護部１６ａ、受光面側保護部１０、第２壁面側保護部１６ｂ、第２折返し面１８ｂ、第２差込片２０ｂがｘ軸方向に並べられる。それらは、折目５４、折目５６、折目５８、折目６０を介して連接される。折目５０から折目６０がいずれも山折りされ、かつ第１差込片２０ａが第１差込穴２２ａに、第２差込片２０ｂが第２差込穴２２ｂに差し込まれることによって、図１に示した太陽電池モジュール用梱包体１００が形成される。
【００２６】
前述のごとく、コネクタ保護部２４は裏面側保護部１２と一体的に形成される。具体的には、コネクタ保護部２４のうち、第２壁部２８のｘ軸の正方向側が折目６２を介して裏面側保護部１２に接続される。また、第２壁部２８、底部３０、第１壁部２６、先端部３２がｘ軸方向に並べられる。それらは、折目６４、折目６６、折目６８を介して連接される。ここで、底部３０、第１壁部２６、先端部３２は裏面側保護部１２に接続されない。第１壁部２６には、２つの第１穴部４０がｙ軸方向に並んで配置され、第２壁部２８には、２つの第２穴部４２がｙ軸方向に並んで配置される。実際に使用される際、折目６２は山折りされ、折目６４から折目６８は谷折りされる。図２（ｂ）−（ｃ）については後述する。
【００２７】
図３（ａ）−（ｃ）は、梱包体付き太陽電池モジュール３００の構造を示す斜視図である。図３（ａ）における梱包体付き太陽電池モジュール３００では、図１における第１太陽電池モジュール用梱包体１００ａ、第２太陽電池モジュール用梱包体１００ｂが太陽電池モジュール２００に取りつけられる。図３（ｂ）は、図３（ａ）に示した梱包体付き太陽電池モジュール３００において、ケーブル２１８、コネクタ２２０、接続部２２４が、第２太陽電池モジュール用梱包体１００ｂのコネクタ保護部２４によって保持された状態を示す。この状態でのコネクタ保護部２４の構造をさらに詳細に説明するために、ここでは図４（ａ）−（ｃ）を使用する。なお、図３（ｂ）において第１太陽電池モジュール用梱包体１００ａのコネクタ保護部２４は、ケーブル２１８、コネクタ２２０、接続部２２４の保持に使用されない。
【００２８】
図４（ａ）−（ｃ）は、図２（ａ）の太陽電池モジュール用梱包体１００の取付手順を示す。図４（ａ）−（ｃ）では、コネクタ保護部２４の構造を明確にするために、第２太陽電池モジュール用梱包体１００ｂにおける裏面側保護部１２、コネクタ保護部２４の部分を拡大して示す。図４（ａ）では、前述のごとく、折目６２が山折りされ、折目６４および折目６６が谷折りされる。その結果、第１壁部２６と第２壁部２８は、裏面側保護部１２の長手方向、つまりｘ軸方向において対向して配置される。また、第１壁部２６と第２壁部２８のｚ軸の正方向側端をつなぐように底部３０が配置される。第１壁部２６に設けられた第１穴部４０には、第２壁部２８が配置される方向とは反対側から、コネクタ２２０が挿入される。
【００２９】
図４（ｂ）では、図４（ａ）の場合よりもコネクタ２２０が第１穴部４０に挿入されることによって、コネクタ２２０は第１穴部４０を通過して第２穴部４２に差し込まれる。コネクタ２２０が第２穴部４２に差し込まれた状態では、コネクタ２２０の後部に接続される接続部２２４も第１穴部４０を通過する。一方、接続部２２４は第２穴部４２に挿入されない。そのため、接続部２２４は、第１壁部２６と第２壁部２８との間に配置される。そのような状態において、接続部２２４の後部に配置されるケーブル２１８が第１穴部４０に差し込まれる。つまり、第１壁部２６における第１穴部４０はケーブル２１８を保持し、第２壁部２８における第２穴部４２はコネクタ２２０を保持する。このとき、第１穴部４０は、第１壁部２６に備えられたベロ部４６を第２壁部２８側に折り倒すことによって形成される。
【００３０】
このような保持がなされる場合、第２穴部４２にはコネクタ２２０のみが挿入されるが、第１穴部４０には接続部２２４も挿入される。前述のごとく、接続部２２４の径はコネクタ２２０の径よりも太くされる。そのため、第２穴部４２は、コネクタ２２０を挿入可能であるが、接続部２２４を挿入できないサイズにされ、第１穴部４０は、接続部２２４も挿入できるサイズにされる。つまり、第２穴部４２は第１穴部４０よりも小さくされる。これにより、コネクタ２２０を第２穴部４２に挿入しすぎても、接続部２２４によって挿入が止められる。これによって、挿入方向にコネクタ２２０が第２穴部４２から抜けることが防止される。
【００３１】
図４（ｃ）では、第１穴部４０を形成するために折り曲げたベロ部４６が、接続部２２４に接触される。つまり、ベロ部４６は、第１穴部４０がケーブル２１８を保持し、かつ第２穴部４２がコネクタ２２０を保持する場合に、第１壁部２６と第２壁部２８との間において、ケーブル２１８および接続部２２４の少なくとも一方、例えば、ケーブル２１８と接続部２２４の境界部分に接触可能である。ここで、接続部２２４はコネクタ２２０の一部であるともいえる。これによって前述の挿入方向とは逆の方向に接続部２２４を引き抜こうとした場合であっても、ベロ部４６が接続部２２４に引っかかることによって、接続部２２４の引抜きが防止される。
【００３２】
図３（ｃ）は、図３（ａ）に示した梱包体付き太陽電池モジュール３００において、ケーブル２１８、コネクタ２２０、接続部２２４が、第１太陽電池モジュール用梱包体１００ａのコネクタ保護部２４によって保持された状態を示す。その際、第２太陽電池モジュール用梱包体１００ｂのコネクタ保護部２４は、ケーブル２１８、コネクタ２２０、接続部２２４の保持に使用されない。梱包体付き太陽電池モジュール３００は、図３（ｂ）−（ｃ）のいずれかの状態で、保管されたり、太陽電池モジュール２００を設置すべき屋根の近くまで運搬されたりする。
【００３３】
図５は、梱包体付き太陽電池モジュール３００の断面図である。これは、図３（ａ）のＡ−Ａ’線に沿った断面図であり、特に、第２太陽電池モジュール用梱包体１００ｂの周辺部分を示す部分断面図である。長フレーム２１２は、嵌合部２４０、支持部２４２、脚部２４４、底部２４６を含み、支持部２４２は、天面部２４８、中空部２５０を含む。ここで、嵌合部２４０、支持部２４２、脚部２４４、底部２４６は、一体的に形成される。
【００３４】
嵌合部２４０は、後述の支持部２４２のｚ軸の正方向側に配置され、支持部２４２の天面部２４８と組み合わされることによって、ｙ軸の正方向側に凹んだ断面を有する。このような形状によって、嵌合部２４０には、ｙ軸の正方向側から太陽電池パネル２１０の外縁部２２２が嵌め込まれる。なお、嵌合部２４０および天面部２４８と、太陽電池パネル２１０とは、ブチル系の封止材またはシリコーン系の接着剤などによって固定される。
【００３５】
支持部２４２は、嵌合部２４０をｚ軸の負方向側から支持する。支持部２４２のｚ軸の正方向側には、嵌合部２４０と対向するように天面部２４８が配置される。また、支持部２４２は、略矩形状の断面を有するとともに、中空構造のために内部に中空部２５０を備える。支持部２４２のｚ軸の負方向側、かつｙ軸の正方向側から、ｚ軸の負方向に向かって脚部２４４が備えられる。なお、脚部２４４は、支持部２４２のｚ軸の負方向側のどの部分に接続されてもよい。脚部２４４のｚ軸の負方向側には、底部２４６が配置される。底部２４６は、ｙ軸方向に延びた断面を有し、脚部２４４をｚ軸の負方向側から支持する。
【００３６】
このような長フレーム２１２において、嵌合部２４０および支持部２４２のｙ軸の負方向側の面と、底部２４６のｙ軸の負方向側端が、前述の長側面２７４に相当する。受光面側保護部１０、側面側保護部１４、裏面側保護部１２の組合せによって、ｙ軸の正方向側に凹んだ断面が形成されており、これらによって、長側面２７４側から、長フレーム２１２と、太陽電池パネル２１０の一部とが覆われる。図示のごとく、側面側保護部１４のｚ軸方向の長さは、長フレーム２１２のｚ軸方向の長さに合わされており、受光面側保護部１０および裏面側保護部１２のｙ軸方向の長さは、長フレーム２１２のｙ軸方向の長さよりも長くされる。
【００３７】
以下では、図２（ｂ）に戻り、コネクタ保護部２４の別の構造を説明する。図２（ｂ）でも、図２（ａ）と同様に、受光面側保護部１０、側面側保護部１４、裏面側保護部１２がｙ軸方向に並べられる。また、第１差込片２０ａ、第１折返し面１８ａ、第１壁面側保護部１６ａ、受光面側保護部１０、第２壁面側保護部１６ｂ、第２折返し面１８ｂ、第２差込片２０ｂがｘ軸方向に並べられる。さらに、折目５０から折目６０がいずれも山折りされることによって、図１に示した太陽電池モジュール用梱包体１００が形成される。
【００３８】
コネクタ保護部２４のうち、第１壁部２６のｘ軸の正方向側が折目７０を介して裏面側保護部１２に接続される。また、第１壁部２６、底部３０、第２壁部２８、天部３４、先端部３２がｘ軸方向に並べられる。それらは、折目７２、折目７４、折目７６、折目７８を介して連接される。ここで、底部３０、第２壁部２８、天部３４、先端部３２は裏面側保護部１２に接続されない。第１壁部２６には、１つの第１穴部４０が配置され、第２壁部２８には、２つの第２穴部４２がｙ軸方向に並んで配置される。実際に使用される際、折目７０は山折りされ、折目７２から折目７８は谷折りされる。
【００３９】
図６（ａ）−（ｄ）は、図２（ｂ）の太陽電池モジュール用梱包体１００の取付手順を示す。これは、図４（ａ）−（ｃ）と同様に示される。図６（ａ）では、前述のごとく、折目７０が山折りされ、折目７２が谷折りされる。第１壁部２６に設けられた第１穴部４０には、第２壁部２８に向かうようにコネクタ２２０が挿入される。
【００４０】
図６（ｂ）では、折目７４が谷折りされる。その結果、第１壁部２６と第２壁部２８は、裏面側保護部１２の長手方向、つまりｘ軸方向において対向して配置される。また、第１壁部２６と第２壁部２８のｚ軸の正方向側端をつなぐように底部３０が配置される。また、図６（ｂ）では、図６（ａ）の場合よりもコネクタ２２０が第１穴部４０に挿入されることによって、コネクタ２２０は第１穴部４０を通過して第２穴部４２に差し込まれる。そのような状況は、これまでと同様であり、第１壁部２６における第１穴部４０はケーブル２１８を保持し、第２壁部２８における第２穴部４２はコネクタ２２０を保持し、接続部２２４は、第１壁部２６と第２壁部２８との間に配置される。さらに、第２穴部４２は第１穴部４０よりも小さくされる。そのため、挿入方向にコネクタ２２０が第２穴部４２から抜けることが防止される。
【００４１】
図４（ｃ）では、折目７６が谷折りされるので、天部３４は底部３０との間に接続部２２４を挟むように配置される。ここで、先端部３２の先端には、接続部２２４あるいはケーブル２１８の少なくとも一方を取付可能な複数の取付部４４が設けられる。取付部４４は、例えば、先端部３２の先端に設けられた切込みである。折目７８が谷折りされることによって、ケーブル２１８にはｚ軸の負方向側から取付部４４が取りつけられる。取付部４４のサイズは、ケーブル２１８の径に合わせられる。つまり、取付部４４のサイズは、接続部２２４の径よりも小さくされる。これによって前述の挿入方向とは逆の方向にケーブル２１８を引き抜こうとした場合であっても、先端部３２が接続部２２４に引っかかることによって、接続部２２４の引抜きが防止される。図４（ｄ）は、図４（ｃ）を拡大した図である。
【００４２】
図２（ｃ）は、図２（ａ）−（ｂ）とは異なったコネクタ保護部２４の構造を示す。図２（ｃ）でも、これまでと同様に、受光面側保護部１０、側面側保護部１４、裏面側保護部１２がｙ軸方向に並べられる。また、第１差込片２０ａ、第１折返し面１８ａ、第１壁面側保護部１６ａ、受光面側保護部１０、第２壁面側保護部１６ｂ、第２折返し面１８ｂ、第２差込片２０ｂがｘ軸方向に並べられる。さらに、折目５０から折目６０がいずれも山折りされることによって、図１に示した太陽電池モジュール用梱包体１００が形成される。
【００４３】
コネクタ保護部２４は裏面側保護部１２と一体的に形成される。具体的には、コネクタ保護部２４のうち、第２壁部２８のｙ軸の負方向側が折目８０を介して裏面側保護部１２に接続される。また、第２壁部２８、底部３０、第１壁部２６がｙ軸方向に並べられる。それらは、折目８２、折目８４を介して連接される。ここで、底部３０、第１壁部２６は裏面側保護部１２に接続されない。第１壁部２６には、２つの第１穴部４０がｘ軸方向に並んで配置され、第２壁部２８には、２つの第２穴部４２がｘ軸方向に並んで配置される。実際に使用される際、折目８０は山折りされ、折目８２、折目８４は谷折りされる。
【００４４】
図７（ａ）−（ｂ）は、図２（ｃ）の太陽電池モジュール用梱包体１００の取付手順を示す。これは、図４（ａ）−（ｃ）と同様に示される。図７（ａ）では、前述のごとく、折目８０が山折りされ、折目８２、折目８４が谷折りされる。その結果、第１壁部２６と第２壁部２８は、裏面側保護部１２の長手方向の垂直方向、つまりｙ軸方向において対向して配置される。また、第１壁部２６と第２壁部２８のｚ軸の正方向側端をつなぐように底部３０が配置される。第１壁部２６に設けられた第１穴部４０には、第２壁部２８に向かうようにコネクタ２２０が挿入される。なお、第１穴部４０は、打ち抜きタイプの形状ではなく、図４（ｂ）のようなベロ部４６を折り返すことによって形成される形状であってよい。
【００４５】
図７（ｂ）では、図７（ａ）の場合よりもコネクタ２２０が第１穴部４０に挿入されることによって、コネクタ２２０は第１穴部４０を通過して第２穴部４２に差し込まれる。コネクタ２２０が第２穴部４２に差し込まれた状態では、コネクタ２２０の後部に接続される接続部２２４も第１穴部４０を通過する。一方、接続部２２４は第２穴部４２に挿入されない。そのため、接続部２２４は、第１壁部２６と第２壁部２８との間に配置される。そのような状態において、接続部２２４の後部に配置されるケーブル２１８が第１穴部４０に差し込まれる。つまり、第１壁部２６における第１穴部４０はケーブル２１８を保持し、第２壁部２８における第２穴部４２はコネクタ２２０を保持する。
【００４６】
このような保持がなされる場合、第２穴部４２にはコネクタ２２０のみが挿入されるが、第１穴部４０には接続部２２４も挿入される。前述のごとく、接続部２２４の径はコネクタ２２０の径よりも太くされる。そのため、第２穴部４２は、コネクタ２２０を挿入可能であるが、接続部２２４を挿入できないサイズにされ、第１穴部４０は、接続部２２４も挿入できるサイズにされる。つまり、第２穴部４２は第１穴部４０よりも小さくされる。これにより、コネクタ２２０を第２穴部４２に挿入しすぎても、接続部２２４によって挿入が止められる。これによって、挿入方向にコネクタ２２０が第２穴部４２から抜けることが防止される。
【００４７】
本実施例によれば、第１壁部２６と第２壁部２８とが対向して設けられ、かつ第１壁部２６における第１穴部４０がケーブル２１８を保持し、第２壁部２８における第２穴部４２がコネクタ２２０を保持するので、コネクタ２２０を十分に固定できる。また、コネクタ２２０が十分に固定されるので、コネクタ２２０が外れたり、コネクタ保護部２４内でコネクタ２２０が動いたりすることを抑制できる。また、コネクタ２２０が外れたり、コネクタ保護部２４内でコネクタ２２０が動いたりすることが抑制されるので、コネクタ２２０が太陽電池モジュール２００を破損させることを抑制できる。また、コネクタ２２０が十分に固定されるので、梱包作業の際に、穴部へのコネクタ２２０の差込が十分でなく、コネクタ２２０が外れることを抑制できる。
【００４８】
また、第２穴部４２は第１穴部４０よりも小さいので、第２穴部４２にコネクタ２２０を挿入しすぎて、コネクタ２２０が外れることを抑制できる。また、第１壁部２６および第２壁部２８は、裏面側保護部１２の長手方向において対向して配置されるので、構造の自由度を向上できる。また、第１壁部２６および第２壁部２８は、裏面側保護部１２の長手方向とは異なった方向において対向して配置されるので、構造の自由度を向上できる。また、ベロ部４６が、第１穴部４０と第２穴部４２との間において、ケーブル２１８およびコネクタ２２０の少なくとも一方に接触するので、挿入方向とは逆方向に接続部２２４が抜けることを抑制できる。また、先端部３２は、ケーブル２１８およびコネクタ２２０の少なくとも一方を取付可能な取付部４４を備えるので、ケーブル２１８の固定を強化できる。
【００４９】
本実施例の概要は、次の通りである。本考案のある態様の太陽電池モジュール用梱包体１００は、互いに反対を向いた受光面２７０と裏面２７２とを長側面２７４で囲んだ太陽電池モジュール２００の１つの長側面２７４を含んで被覆する太陽電池モジュール用梱包体１００であって、太陽電池モジュール２００の受光面２７０の一部を覆う受光面側保護部１０と、受光面側保護部１０に対向して設けられ、かつ太陽電池モジュール２００の裏面２７２の一部を覆う裏面側保護部１２と、裏面側保護部１２と受光面側保護部１０との間に設けられ、かつ太陽電池モジュール２００の１つの長側面２７４を覆う側面側保護部１４と、裏面側保護部１２に接続され、かつ太陽電池モジュール２００の裏面２７２に設置された端子ボックス２１６から延びるケーブル２１８の先端に設けられたコネクタ２２０を保護するコネクタ保護部２４とを備える。コネクタ保護部２４は、ケーブル２１８を保持可能な第１穴部４０を有する第１壁部２６と、第１壁部２６に対向して設けられ、かつコネクタ２２０を保持可能な第２穴部４２を有する第２壁部２８とを備える。
【００５０】
第２穴部４２は第１穴部４０よりも小さくてもよい。
【００５１】
第１壁部２６および第２壁部２８は、裏面側保護部１２の長手方向において対向して配置されてもよい。
【００５２】
第１壁部２６および第２壁部２８は、裏面側保護部１２の長手方向とは異なった方向において対向して配置されてもよい。
【００５３】
第１壁部２６は、第１穴部４０がケーブル２１８を保持し、かつ第２穴部４２がコネクタ２２０を保持する場合に、第１壁部２６と第２壁部２８との間において、ケーブル２１８およびコネクタ２２０の少なくとも一方に接触可能なベロ部４６をさらに備えてもよい。
【００５４】
コネクタ保護部２４は、ケーブル２１８およびコネクタ２２０の少なくとも一方を取付可能な取付部４４を備えてもよい。
【００５５】
本考案の別の態様は、梱包体付き太陽電池モジュール３００である。この梱包体付き太陽電池モジュール３００は、互いに反対を向いた受光面２７０と裏面２７２とを長側面２７４で囲んだ太陽電池モジュール２００と、太陽電池モジュール２００の１つの長側面２７４を含んで被覆する太陽電池モジュール用梱包体１００とを備える。太陽電池モジュール用梱包体１００は、太陽電池モジュール２００の受光面２７０の一部を覆う受光面側保護部１０と、受光面側保護部１０に対向して設けられ、かつ太陽電池モジュール２００の裏面２７２の一部を覆う裏面側保護部１２と、裏面側保護部１２と受光面側保護部１０との間に設けられ、かつ太陽電池モジュール２００の１つの長側面２７４を覆う側面側保護部１４と、裏面側保護部１２に接続され、かつ太陽電池モジュール２００の裏面２７２に設置された端子ボックス２１６から延びるケーブル２１８の先端に設けられたコネクタ２２０を保護するコネクタ保護部２４とを備える。コネクタ保護部２４は、ケーブル２１８を保持可能な第１穴部４０を有する第１壁部２６と、第１壁部２６に対向して設けられ、かつコネクタ２２０を保持可能な第２穴部４２を有する第２壁部２８とを備える。
【００５６】
以上、本考案について実施例をもとに説明した。この実施例は例示であり、それらの各構成要素あるいは各処理プロセスの組合せにいろいろな変形例が可能なこと、またそうした変形例も本考案の範囲にあることは当業者に理解されるところである。
【符号の説明】
【００５７】
１０  受光面側保護部、  １２  裏面側保護部、  １４  側面側保護部、  １６  壁面側保護部、  １８  折返し面、  ２０  差込片、  ２２  差込穴、  ２４  コネクタ保護部、  ２６  第１壁部、  ２８  第２壁部、  ３０  底部、  ３２  先端部、  ３４  天部、  ４０  第１穴部、  ４２  第２穴部、  ４４  取付部、  ４６  ベロ部、  １００  太陽電池モジュール用梱包体、  ２００  太陽電池モジュール、  ２１０  太陽電池パネル、  ２１２  長フレーム、  ２１４  短フレーム、  ２１６  端子ボックス、  ２１８  ケーブル、  ２２０  コネクタ、  ２２２  外縁部、  ２２４  接続部、  ２４０  嵌合部、  ２４２  支持部、  ２４４  脚部、  ２４６  底部、  ２４８  天面部、  ２５０  中空部、  ２７０  受光面、  ２７２  裏面、  ２７４  長側面（側面）、  ２７６  短側面、  ３００  梱包体付き太陽電池モジュール。
【図１】
0003208072.tif 000003
【図２】
0003208072.tif 000004
【図３】
0003208072.tif 000005
【図４】
0003208072.tif 000006
【図５】
0003208072.tif 000007
【図６】
0003208072.tif 000008
【図７】
0003208072.tif 000009